(57)【要約】      （修正有）【課題】扉開時に冷却ファンによる塵埃の吸い込みを防止する。【解決手段】盤本体１の内部に発熱部を有する盤において、冷却風を吸入する吸気口４と、冷却風を排出する排気口５と、排気口５から冷却風を排出するための冷却ファン６を設けて扉２の閉時に正転させるとともに、扉２の開時には冷却ファン６を停止、或いは逆転させる。【選択図】図１
2007228642.tif 000002
【特許請求の範囲】
【請求項１】
盤本体と扉からなり、内部に発熱部を有する盤において、冷却風を吸入する吸気口と、冷却風を排出する排気口と、排気口から冷却風を排出するための冷却ファンと、扉の閉時に冷却ファンを正転させる手段と、扉の開時に冷却ファンを停止させる手段とを備えたことを特徴とする盤の冷却構造。
【請求項２】
盤本体と扉からなり、内部に発熱部を有する盤において、冷却風を吸入する吸気口と、冷却風を排出する排気口と、排気口から冷却風を排出するための冷却ファンと、扉の閉時に冷却ファンを正転させる手段と、扉の開時に冷却ファンを逆転させる手段とを備えたことを特徴とする盤の冷却構造。
【発明の詳細な説明】
【技術分野】
【０００１】
この発明は、配電盤や制御盤等の盤の冷却構造に関するものである。
【背景技術】
【０００２】
一般に、配電盤や制御盤等の盤においては、盤内に電子回路等の発熱体があり、自然換気だけでは盤内温度の上昇を抑えられない場合には盤の天井部等に冷却ファンを設け、盤内を強制的に冷却している。
【０００３】
即ち、図３において、１は配電盤や制御盤等の盤本体、２は盤本体１の開口側を閉鎖する扉である。盤本体１内には電子機器等の発熱部３が収納され、扉２の下部には吸気口４が設けられる。又、盤本体１の上部には排気口５が設けられ、排気口５には冷却ファン６が設けられる。このような構成において、冷却ファン６を回転させると、冷却風は扉２の吸気口４から吸入され、発熱部３を冷却した後、排気口５から排出される。なお、先行技術文献情報としては、次のものがある。
【特許文献１】特開平５−２７６６１４号公報
【特許文献２】実開平６−４１３１５号公報
【特許文献３】特開平１０−２３６１８号公報
【特許文献４】特開２００１−１２８３２１号公報
【発明の開示】
【発明が解決しようとする課題】
【０００４】
ところで、盤が塵埃の多い場所に設置されたような場合、塵埃の侵入を防ぐために吸気口４にフィルタを設けていた。しかしながら、盤の運転中に内部の確認等をするために扉２を開くと、冷却ファン６により吸気中であるために、塵埃を積極的に盤内に取り込んでしまうこととなった。
【０００５】
この発明は上記のような課題を解決するために成されたものであり、扉開時に盤内に塵埃を吸い込むことがない盤の冷却構造を得ることを目的とする。
【課題を解決するための手段】
【０００６】
この発明の請求項１に係る盤の冷却構造は、盤本体と扉からなり、内部に発熱部を有する盤において、冷却風を吸入する吸気口と、冷却風を排出する排気口と、排気口から冷却風を排出するための冷却ファンと、扉の閉時に冷却ファンを正転させる手段と、扉の開時に冷却ファンを停止させる手段とを備えたものである。
【０００７】
請求項２に係る盤の冷却構造は、盤本体と扉からなり、内部に発熱部を有する盤において、冷却風を吸入する吸気口と、冷却風を排出する排気口と、排気口から冷却風を排出するための冷却ファンと、扉の閉時に冷却ファンを正転させる手段と、扉の開時に冷却ファンを逆転させる手段とを備えたものである。
【発明の効果】
【０００８】
以上のようにこの発明の請求項１によれば、扉の開時に冷却ファンを停止させるので、塵埃を盤内に積極的に取り入れることはなくなる。
【０００９】
又、請求項２によれば、扉の開時に冷却ファンを逆転させるので、塵埃を盤内に吸い込まなくなることはもちろんのこと、空気が逆流するので、自然に侵入する塵埃も盤内に入らなくなる。さらに、冷却ファンは通常羽根に傾きがあるために、正転側に比べて逆転側は風量が大幅に落ちるが、逆転時は運転停止時であるので、あまり大きな風量は必要ではなく、そよ風程度の風量で十分である。
【発明を実施するための最良の形態】
【００１０】
実施最良形態１
以下、この発明を実施するための最良の形態を図面とともに説明する。図１はこの発明の実施最良形態１による冷却ファン６の駆動回路図を示し、盤の構造は図３に示した通りである。盤の排気口５に設けられた冷却ファン６には変圧器２次側からの電源線７が遮断器８及びリレー接点１２ａを介して接続される。又、電源線７には制御電源線９が接続され、制御電源線９間には扉２の開閉と連動してオンオフする扉開閉スイッチ１０と補助リレー１１との直列回路が接続され、また制御電源線９間には補助リレー１１のａ接点１１ａと冷却ファン正転リレー１２とが直列に接続される。
【００１１】
上記構成において、扉２の閉時には扉開閉スイッチ１０が閉じられ、補助リレー１１が励磁され、そのａ接点１１ａが閉じられ、冷却ファン正転リレー１２が励磁され、その接点１２ａが閉じられ、冷却ファン６が正転され、冷却風は吸気口４から吸入され、発熱部３を冷却して排気口５から排出される。ここで、盤の内部の点検のために、盤の運転を停止し、扉２を開くと、扉開閉スイッチ１０が開となり、補助リレー１１が非励磁となり、そのａ接点１１ａが開となり、冷却ファン正転リレー１２が非励磁となり、リレー接点１２ａが開となり、冷却ファン６が停止する。
【００１２】
実施最良形態１においては、扉２の開時には冷却ファン６を停止させるので、塵埃を盤内に吸い込むことはなくなる。
【００１３】
実施最良形態２
図２はこの発明の実施最良形態２による冷却ファン６の駆動回路図を示し、冷却ファン６には変圧器２次側からの電源線７が遮断器８とリレー接点１２ａ，１３ａの並列回路の直列回路を介して接続される。又、電源線７には制御電源線９が接続され、制御電源線９間には扉２の開閉と連動してオンオフする扉開閉スイッチ１０と補助リレー１１との直列回路が接続され、また制御電源線９間には補助リレー１１のａ接点１１ａと冷却ファン正転リレー１２の直列回路と補助リレー１１のｂ接点１１ｂと冷却ファン逆転リレー１３の直列回路とが並列に接続される。
【００１４】
上機構成において、扉２の閉時には扉開閉スイッチ１０が閉じられ、補助リレー１１が励磁され、そのａ接点１１ａが閉じられるとともに、ｂ接点１１ｂが開かれ、冷却ファン正転リレー１２が励磁されるとともに、冷却ファン逆転リレー１３が非励磁となり、その接点１２ａが閉じられるとともに、接点１３ａが開かれ、冷却ファン６が正転され、冷却風は吸気口４から吸入され、発熱部３を冷却して排気口５から排出される。ここで、盤の内部の点検のために、盤の運転を停止し、扉２を開くと、扉開閉スイッチ１０が開となり、補助リレー１１が非励磁となり、そのａ接点１１ａが開となるとともに、ｂ接点１１ｂが閉となり、冷却ファン正転リレー１２が非励磁となるとともに、冷却ファン逆転リレー１３が励磁され、リレー接点１２ａが開となるとともに、リレー接点１３ａが閉じられ、冷却ファン６は逆転する。
【００１５】
実施最良形態２においては、扉２の開時に冷却ファン６を逆転させるので、塵埃を盤内に吸い込まなくなることはもちろんのこと、空気が逆流するので、自然に侵入する塵埃も盤内に入らなくなる。さらに、冷却ファン６は通常羽根に傾きがあるために、正転側に比べて逆転側は風量が大幅に落ちるが、逆転時は運転停止時であるので、あまり大きな風量は必要ではなく、そよ風程度の風量で十分である。なお、実施最良形態２においては、冷却ファン６を逆転させるので、その風量が小さく、排気口５が盤本体１の上部にあるとはいえ、排気口５から塵埃を吸い込む恐れが多少ある。そこで、吸気口４だけでなく、排気口５にもフィルタを設ければなお良い。
【図面の簡単な説明】
【００１６】
【図１】この発明の実施最良形態１による冷却ファンの駆動回路図である。
【図２】実施最良形態２による冷却ファンの駆動回路図である。
【図３】盤の構成図である。
【符号の説明】
【００１７】
１…盤本体
２…扉
３…発熱部
４…吸気口
５…排気口
６…冷却ファン
１０…扉開閉スイッチ
１１…補助リレー
１２…冷却ファン正転リレー
１３…冷却ファン逆転リレー
【図１】
2007228642.tif 000003
【図２】
2007228642.tif 000004
【図３】
2007228642.tif 000005